(57)【要約】【課題】本発明は、屋内で飼われる犬、猫等の小動物が行う排泄物等の臭いを減少させて、周囲の環境を改善できるペットトイレに関するものである。【解決手段】本発明のペットトイレは、ペット用シーツを内部に入れる函体と、前記函体の凸壁に設けられた薬剤を入れる複数個の孔と、前記凸壁の下部に嵌合される薬剤の入ったカートリッジとから少なくとも構成されている。前記カートリッジに入った薬剤の匂いは、前記孔から放出され、排泄物の臭い等を和らげることにより、部屋内の環境を改善できる。【選択図】図１
2014014295.tif 000002
【特許請求の範囲】
【請求項１】
ペット用シーツを入れることができ、上部が開放されている凹部が成形されている函体と、
前記函体の周囲を囲むとともに、上部に複数個の群からなる孔が少なくとも一カ所に設けられ、裏側において下向きの凹部が成形されている凸壁と、
前記下向きの凹部に下方から嵌合されるとともに、薬剤が入れられている少なくとも一つの交換可能な容器と、
から少なくとも構成されていることを特徴とするペットトイレ。
【請求項２】
前記容器は、内部の中央部に先端部に行くに従い薄くなる、ほぼ十字状突起が成形されていることを特徴とする請求項１に記載されたペットトイレ。
【請求項３】
前記薬剤は、消臭剤（合成および／または天然）、虫除け、芳香剤、活性炭、除菌剤、緑茶乾留エキス、ショウガ乾留物、果実種子、果実抽出物、植物性抽出物、色素、ハープ剤の内の少なくとも一つがゲル状になっていることを特徴とする請求項１または請求項２に記載されたペットトイレ。
【請求項４】
ペット用シーツを入れることができる凸壁に囲まれて上部が開放されている凹部からなる函体と、
前記凸壁に設けられた複数個の有底孔と、
前記有底孔に入れられた薬剤と、
前記有底孔を密封するフィルムと、
から少なくとも構成されていることを特徴とするペットトイレ。
【請求項５】
ペット用シーツを入れることができる凸壁に囲まれて上部が開放されている凹部からなる函体と、
前記凹部の内部に設けられた複数個の突起部と、
前記凸壁および前記突起部に設けられた有底孔と、
前記有底孔に入れられた薬剤と、
前記有底孔を密封するフィルムと、
から少なくとも構成されていることを特徴とするペットトイレ。
【請求項６】
前記薬剤は、消臭剤（合成および／または天然）、虫除け、芳香剤、香料、活性炭、除菌剤、緑茶乾留エキス、ショウガ乾留物、果実種子、果実抽出物、植物性抽出物、色素、ハープ剤の内の少なくとも一つであることを特徴とする請求項４または請求項５に記載されたペットトイレ。
【請求項７】
上部が開放されている凹部の内側端部は、嵌合凹部と、前記嵌合凹部と嵌合する成形品とによってペット用シーツを挟み固定することを特徴とする請求項１から請求項６のいずれか１項に記載されたペットトイレ。
【発明の詳細な説明】
【技術分野】
【０００１】
本発明は、主に、屋内で飼われる犬、猫等の小動物を対象としたペットトイレに関するものである。また、本発明は、屋内でペットを飼っても、排泄物あるいは動物自身から出る臭い等を減少させて、周囲の環境を改善できるペットトイレに関するものである。
【背景技術】
【０００２】
屋内で飼われているペットは、ペットトイレに敷いてあるペット用シーツ、あるいは粒状物（砂等）の上で排泄を行っている。前記排泄物は、臭いが強く、屋内の環境を悪化させる傾向にある。
【０００３】
たとえば、特開２００６−８１５２８号公報に記載されているペット用トイレは、内部に円柱状の突起状形状物を設け、ペットの排尿のしつけを容易にするとともに、所定の場所のみとなるようにしている。また、特開２００５−１７６７２０号公報に記載されているペットトイレは、枠体の中に人工芝製ベルトが敷かれており、ペットが排泄を行った後、前記ベルトが移動して、前記排泄物を決められた貯留部に運搬し、処理できる構造になっている。
【先行技術文献】
【特許文献】
【０００４】
【特許文献１】特開２００６−８１５２８号公報
【特許文献２】特開２００５−１７６７２０号公報
【発明の概要】
【発明が解決しようとする課題】
【０００５】
前記従来のペットトイレは、ペットの排泄物等の処理に重点が置かれており、排泄後の屋内の環境に対する配慮が少なかった。従来のペットトイレは、消臭、除菌、乾燥、匂い等の全部について配慮するのもが少なかった。
【０００６】
以上のような課題を解決するために、本発明は、ペット用シーツの交換が容易であると同時に、ペットが排泄を行った後の消臭、除菌、乾燥、匂いを同時に改善でき、屋内環境を向上させることができるペットトイレを提供することを目的とする。本発明は、前記ペットトイレ周辺の環境を向上させるだけでなく、ペットおよびペットトイレの周辺における衛生状態を向上させることができるペットトイレを提供することを目的とする。本発明は、前記消臭、除菌、乾燥、匂いを同時に改善できるように、交換が容易なカートリッジ式の薬剤用容器を開発することで、趣味の異なる多くの者を同時に満足させることができるペットトイレを提供することを目的とする。
【課題を解決するための手段】
【０００７】
（第１発明）
第１発明のペットトイレは、ペット用シーツを入れることができ、上部が開放されている凹部が成形されている函体と、前記函体の周囲を囲むとともに、上部に複数個の群からなる孔が少なくとも一カ所に設けられ、裏側において下向きの凹部が成形されている凸壁と、前記下向きの凹部に下方から嵌合されるとともに、薬剤が入れられている少なくとも一つの交換可能な容器とから少なくとも構成されている。
【０００８】
（第２発明）
第２発明のペットトイレにおいて、前記容器は、内部の中央部に先端部に行くに従い薄くなる、ほぼ十字状突起が成形されていることを特徴とする。
【０００９】
（第３発明）
第３発明のペットトイレにおいて、前記薬剤は、消臭剤（合成および／または天然）、虫除け、芳香剤、活性炭、除菌剤、緑茶乾留エキス、ショウガ乾留物、果実種子、果実抽出物、植物性抽出物、色素、ハープ剤の内の少なくとも一つがゲル状になっていることを特徴とする。
【００１０】
（第４発明）
第４発明のペットトイレは、ペット用シーツを入れることができる凸壁に囲まれて上部が開放されている凹部からなる函体と、前記凸壁に設けられた複数個の有底孔と、前記有底孔に入れられた薬剤と、前記有底孔を密封するフィルムとから少なくとも構成されている。
【００１１】
（第５発明）
第５発明のペットトイレは、ペット用シーツを入れることができる凸壁に囲まれて上部が開放されている凹部からなる函体と、前記凹部の内部に設けられた複数個の突起部と、前記凸壁および前記突起部に設けられた有底孔と、前記有底孔に入れられた薬剤と、前記有底孔を密封するフィルムとから少なくとも構成されている。
【００１２】
（第６発明）
第６発明のペットトイレにおいて、前記薬剤は、消臭剤（合成および／または天然）、虫除け、芳香剤、香料、活性炭、除菌剤、緑茶乾留エキス、ショウガ乾留物、果実種子、果実抽出物、植物性抽出物、色素、ハープ剤の内の少なくとも一つであることを特徴とする。
【００１３】
（第１発明）
第７発明のペットトイレにおいて、上部が開放されている凹部の内側端部は、嵌合凹部と、前記嵌合凹部と嵌合する成形品とによってペット用シーツを挟み固定することを特徴とする。
【発明の効果】
【００１４】
本発明によれば、函体の下に薬剤を入れた容器（カートリッジ）が置かれているため、薬剤の交換が容易であるだけでなく、ペットが悪戯してこぼしたり、あるいは誤って飲み込むことがない。
【００１５】
本発明によれば、函体の下に異なった種類の薬剤を別々または一緒に入れた容器（カートリッジ）を函体に成形された凸壁の内部に嵌合することができるため、各種薬剤を使用者の好みに合わせて使用することが容易にできる。
【００１６】
本発明によれば、前記容器（カートリッジ）は、内部の中央部において、先端部に行くに従い薄くなっている十字状の突起が成形されているため、側壁にゲル状薬剤が表面張力によりヘバリ着き、残りが少なくなった場合であっても、表面積を大きくして、効率良く薬効を送出する。
【００１７】
本発明によれば、ペットトイレの横に、居心地が良く、良い香のするペット用リビングを置くことができ、ペットは、身体を汚すことなく、リビングで快適に過ごすことができる。
【００１８】
本発明によれば、凸壁に消臭、除菌、良い香等が長時間保持することができる薬剤を入れる孔を多数設けているため、ペットトイレ周辺の環境を大きく改善することができる。前記孔は、必要に応じて、内部で空間が広がるようにして、前記薬剤の量を多く入れておくことができる。
【００１９】
本発明によれば、ペットトイレの函体の周囲に設けられている孔、ペット用シーツの下に設けられている孔の一方または両方に薬剤を一種類または多種類入れて置くことにより、長期間に渡って薬効を持続させることができる。
【００２０】
本発明によれば、ペットトイレの使用前、前記孔の上下に薄いフィルムによって塞がれているため、使用前に薬効が無くなることがない。
【００２１】
本発明によれば、函体凹部の突起部が函体周囲の凸壁より低くなっているため、ペット用シーツが移動することなく、僅かな空間を有するため、外し易く、かつ、衛生的である。
【００２２】
本発明によれば、函体凹部に縦方向、横方向、あるいは複数個の方形、円形、斜め方向を向いた、低い突起または低い凸部が設けられているため、ペット用シーツを外し易く、かつ、空間ができることにより、ペット用シーツを衛生的に保つことができる。前記函体は、平面でもよく、低い突起とすることもできる。
【００２３】
本発明によれば、消臭剤、臭いおよび湿気を除去する活性炭、尿や便の腐敗あるいは菌の繁殖を防ぐ除菌剤、緑茶乾留エキス、ショウガ乾留物、果実種子、果実抽出物、植物性抽出物、色素、ハープ剤等を混入させることができるため、部屋の中で、トイレ臭が蔓延することがない。
【図面の簡単な説明】
【００２４】
【図１】本発明の第１実施例であり、ペットトイレの函体および容器を説明するための斜視図である。（実施例１）
【図２】第１実施例におけるペットトイレの函体および容器の一部断面図を説明するための図である。
【図３】（イ）は第１実施例における十字状突起を内部に有するカートリッジの上面図および側面図を説明するための図で、（ロ）は十字状突起を有しないカートリッジを説明するための図である。
【図４】（イ）は第１実施例における十字状突起を内部に有するカートリッジのゲル状薬剤の状態を説明するための上面図および側面図、（ロ）は十字状突起を有しないカートリッジの薬剤の状態を説明するための図である。
【図５】（イ）および（ロ）は本発明の第２実施例であり、ペットトイレの函体を説明するための図で、（イ）は斜視図、（ロ）は断面図である。（実施例２）
【図６】（イ）および（ロ）は本発明の第２実施例における使用状態であり、ペットトイレを説明するための図で、（イ）は斜視図、（ロ）は断面図である。
【図７】（イ）および（ロ）は本発明の第３実施例であり、ペットトイレの函体を説明するための図で、（イ）は斜視図、（ロ）は断面図である。（実施例３）
【図８】（イ）および（ロ）は本発明の第３実施例における使用状態であり、ペットトイレを説明するための図で、（イ）は斜視図、（ロ）は断面図である。
【発明を実施するための形態】
【００２５】
（第１発明）
第１発明のペットトイレは、ペット用シーツを内部に入れ、周囲が凸壁によって囲まれ、上部が開放するように成形されている凹部からなる函体と、前記凸壁に設けられた複数個の群からなる孔（たとえば、少なくとも一カ所、または四箇所に設けられた複数個の群からなる孔）と、前記孔の群における下部に置かれた薬剤が入れられた容器とから少なくとも構成されている。前記凸壁は、裏側において、下向きの凹部が成形されている。前記函体は、上部が開放するように成形された凹部の内部にペット用シーツが固定されるように成形されている。
【００２６】
前記薬剤の入った容器は、販売時または不使用時に薬剤がこぼれたり、または蒸散しないように上部がフィルムによって密閉されている。前記容器は、カートリッジとして、新しい前記薬剤の入ったものと交換することにより、新しいまたは異なる薬剤を供給することができる。前記容器に入った薬剤は、前記凸壁に設けられた孔を介してペットトイレの周囲に匂いを発散させる。前記カートリッジとなる容器は、消臭剤以外に、虫除け剤、あるいは芳香剤を別々に入れて、異なる場所に配置し、あるいは混合した薬剤を置くこともできる。
【００２７】
前記函体は、たとえば、ポリプロピレン等の合成樹脂製のものを型材に入れて所望の形状に成形される。また、前記函体は、凸壁により周囲が囲まれているととにも、内部にペット用シーツ等を入れる嵌合凹部が設けられている。前記ペット用シーツは、「シーツ」という文言に拘るものではなく、ペットの尿や便を吸収し易く、ペットの居住性が良く、かつ、衛生的で、交換が容易な安価な部材であれば、特に、材質等を限定するものではない。前記合成樹脂製の容器は、薬剤を入れた後、上部を薄いフィルム、たとえば、ポリエチレンフィルムによってカバーし、使用時に剥がして使用する。
【００２８】
（第２発明）
第２発明のペットトイレは、薬剤を入れる容器の形状にかかる発明である。前記容器は、内部の中央部に先端部に行くに従い薄くなる、ほぼ十字状突起が成形されている。前記ほぼ十字状突起は、たとえば、前記容器の内部が４分割され、前記薬剤が減少すると、４分割された容器の中央部近傍に付着するとともにそれぞれの側壁および前記十字状突起にゲル状の薬剤がへばり着く。
【００２９】
前記のように、薬剤が少なくなった場合、前記側壁にヘバリ着いた液体状薬剤またはゲル状薬剤は、前記十字状突起が無い場合と比較して、表面積を大きくするため、効率良くほぼ均等に蒸発する。前記十字状突起がない容器は、中央部付近の薬剤が早く蒸発して無くなり、容器の周囲にある側壁にのみ、多くの薬剤が表面張力によって付着し、蒸発の効率を悪くするが、使用上問題はない。
【００３０】
（第３発明）
第３発明のペットトイレは、前記容器に入れられた薬剤として、消臭剤（合成および／または天然）、虫除け、芳香剤、活性炭、除菌剤、緑茶乾留エキス、ショウガ乾留物、果実種子、果実抽出物、植物性抽出物、色素、ハープ剤の内の少なくとも一つがゲル状になっている。前記薬剤は、ゲル状とすることで、ペットが前記ペットトイレを動かしても、こぼれ難い。また、薬剤は、液体の場合と比較して、程よい速度で匂いを放出することができる。
【００３１】
（第４発明）
第４発明のペットトイレは、凸壁に囲まれた凹部内に、ペット用シーツを入れる函体と、薬剤を入れる前記凸壁に設けられた複数個の有底孔と、前記有底孔に入れる薬剤と、前記薬剤の入った有底孔を密閉するフィルムとから少なくとも構成されている。前記函体は、たとえば、ポリプロピレン等の合成樹脂製のものを型材に入れて所望の形状に成形される。また、前記函体は、凸壁により周囲が囲まれているととにも、内部にペット用シーツ等を入れる上部が開放されている凹部が設けられている。
【００３２】
前記凸壁は、たとえば、貫通された垂直方向の孔または内部で広がっている孔が複数個設けられ、所定の幅を有する凸部によって囲むようにすることができる。前記有底孔は、内部に薬剤が挿入されている。特に、前記内部で広がる有底孔は、前記薬剤を多く入れて置くことができる。また、前記有底孔は、下部を薄いフィルム、たとえば、ポリエチレンフィルムによって塞いだ後、前記薬剤を入れ、その後、上部を同じ薄いフィルムによって覆い、薬剤の漏れを防ぐこができる。前記上部のフィルムは、使用開始と同時に剥がす。
【００３３】
前記ペットトイレは、ペット用シーツの交換が容易であると同時に、少なくとも消臭剤としての薬剤等を任意のものに選択することができ、ペットおよび飼い主によって、好みの環境にすることができる。前記函体は、ペット用シーツを入れる部分の下に前記第１発明の薬剤が入れられている容器を置くように成形することができる。前記函体の上部には、有底孔が設けられ、この孔を介して、前記容器（カートリッジ）の薬剤が出てペット用シーツに染み込む。
【００３４】
（第５発明）
第５発明のペットトイレは、前記開放された凹部の内部に複数の突起部が設けられている函体からなり、前記突起部にも前記凸壁と同様に、薬剤を入れる垂直方向の有底孔または内部で広がっている有底孔が設けられている点で、第４発明と異なっている。前記ペットトイレは、内部に敷いたペット用シーツの下部からも消臭、除菌作用を発揮させるだけでなく、香等が前記ペット用シーツの上部に出るようにさせることができる。前記第４発明および第５発明の孔は、異なる種類の薬剤を一緒または別々に複数種類入れることもできる。前記薬剤の入れ方は、ペットの種類あるいは飼っている者の好みに応じて任意である。
【００３５】
第４発明および第５発明のペットトイレは、前記凹部の内部に設けられた突起部の高さが前記凸壁の高さより低くすることができる。前記突起部の高さは、内部に敷くペット用シーツの厚さにより、異なってくる。前記ペット用シーツは、前記凸壁の内部に納まると同時に、前記突起部により、前記凹部の表面との間に空間を設けることができ、環境をより衛生的にすることができる。また、前記ペットトイレは、前記凸壁の薬剤以外に、前記突起部にも薬剤を入れることができるだけでなく、多くの異なる種類の薬剤を一カ所纏めて、または複数箇所に入れることにより、周囲を衛生的にし、臭い等に対する環境を向上させることができる。
【００３６】
前記複数個の突起は、ペット用シーツがずれないようにするだけでなく、上下方向に孔を開けて置くことにより、通気性を向上させるだけでなく、前記孔の下に設けられて薬剤の入った容器を置くことで、トイレから発生する臭いを除去することができる。
【００３７】
前記第１発明から第５発明のペットトイレは、函体の凹部表面に、多数方向に向きを変えた滑り止めからなる小突起、または高さの低い凸部が設けられている。たとえば、縦方向、横方向、あるいは複数個の方形、円形、斜め方向を向いた、低い小突起または低い山および谷状の凸部が設けられている。また、前記突起等の方向は、整然と、あるいはランダムに設けられる。前記ペット用シーツは、前記突起と凹部の間に多少空間を持たせることができるため、取り外しが容易であり、衛生的に保つことができる。さらに、前記凸部は、模様とすることもできる。前記函体は、平面または低い突起とすることも可能である。
【００３８】
（第６発明）
第６発明のペットトイレは、臭いを消す合成および／または天然の消臭剤、臭いおよび湿気を除去する活性炭、尿や便の腐敗あるいは菌の繁殖を防ぐ薬剤が入れられる。また、前記薬剤は、合成薬剤（消臭剤、虫除け、芳香剤、香料）の他に、天然の物質として、緑茶乾留エキス、ショウガ乾留物、果実種子、果実抽出物、植物性抽出物、色素、ハープ剤等がある。前記ペットトイレは、前記薬剤の中から少なくとも一つ、あるいは複数種類、異なる箇所に入れることにより、より効果を発揮することができる。
【００３９】
（第７発明）
第７発明のペットトイレは、ペット用シーツを固定することができる嵌合凹部がペットトイレの内部に成形されている。前記嵌合凹部は、別体として設けられた、嵌合する成形品によってペット用シーツを挟み固定することができる。前記嵌合凹部および成形品は、互いに嵌合する形状であり、前記ペット用シーツの厚さによっても多少異なる。また、前記嵌合凹部および成形品は、前記ペット用シーツを固定し易く、取り外しし易い形状に予め成形しておくと便利である。
【実施例１】
【００４０】
図１は本発明の第１実施例であり、ペットトイレの函体および容器を説明するための斜視図である。図２は第１実施例におけるペットトイレの函体および容器の一部断面図を説明するための図である。図１および図２において、ペットトイレ１１は、図示されていないペット用シーツを凸壁１１１の内部で開放された凹部に入れられる。前記ペットトイレ１１は、周囲が凸壁１１１によって囲まれ、上部が開放された函体からなり、たとえば、ポリエチレン等の合成樹脂部材によって一体成形されている。
【００４１】
前記函体は、前記凸壁１１１によって囲まれた開放凹部１３１の内部にペット用シーツ（図示されていない）が敷かれる。前記凸壁１１１は、複数個の群、たとえば、四箇所に設けられた複数個の群からなる孔１１２が設けられている。前記凸壁１１１の下部裏側は、凹部が成形されており、カートリッジ（容器）１１６が嵌合されている。前記カートリッジ１１６は、内部に収納されている薬剤の匂いが前記凸壁１１１に設けられた孔１１２の群を介して外部に放出される。
【００４２】
前記カートリッジ１１６は、図３（イ）に示すように、内部に十字状の突起１１８がある場合と、図３（ロ）に示すように、ない場合とがある。図１および図２に示すように、前記カートリッジ１１６は、互いの内部および外部に設けられた内壁１１９、および外側に折り返された折り返し部１１７が設けられており、前記凸壁１１１の内部に嵌合させることが容易にできる。また、前記凸壁１１１および前記カートリッジ１１６は、互いの容器が持つバネ性のみによって嵌合させることもできる。
【００４３】
また、前記凸壁１１１は、成形の際に、凸起１１３１およびカートリッジ１１６の凸起１２０により嵌合させることもできる。前記凸壁１１１およびカートリッジ１１６は、材料自体のバネ性または前記凹凸形状によって嵌合させることができる。さらに、前記凸壁１１１および前記カートリッジ１１６の形状は、必要に応じて、内壁１１９および凸起１１３１を所定の形状に成形しておき、互いに嵌合し易い状態にしておくことができる。  
【００４４】
前記凸壁１１１の内側近傍には、前記凸壁１１１に沿った上向きの凹部１１４が成形されている。前記函体は、底板１３と、前記底板１３の上部が開放するように成形された開放凹部１３１の内部にペット用シーツ（図示されていない）を入れる。前記ペット用シーツは、その端部を前記凹部１１４に入れた後、シーツ止め部材１１５を上部から嵌合することによって、両者を固定する。前記凹部１１４およびシーツ止め部材１１５の形状は、互いに嵌合することができ、かつ、前記ペット用シーツが固定できるものであれば、形状に特に限定されない。たとえば、前記シーツ止め部材１１５は、上面を平らにして、下面で嵌合できるようにすることもできる。
【００４５】
前記薬剤の入った容器（カートリッジ）１１６は、販売時または不使用時に薬剤がこぼれないように上部が図示されていないフィルムによって密閉されている。前記容器１１６は、カートリッジとして、新しい前記薬剤の入ったものと交換することにより、新しいまたは異なる薬剤を供給することができる。前記容器１１６に入った薬剤は、前記凸壁１１１に設けられた孔１１２を介してペットトイレ１１の周囲に匂いを発散させる。前記カートリッジとなる容器１１６は、消臭剤以外に、虫除け剤、あるいは芳香剤を別々に入れて、異なる場所に配置し、あるいは混合した薬剤を置くこともできる。
【００４６】
前記ペットトイレおよび容器１１６は、たとえば、ポリプロピレン等の合成樹脂製のものを型材に入れて所望の形状に成形される。また、前記函体（ペットトイレ）は、凸壁１１１により周囲が囲まれているととにも、内部にペット用シーツ等を固定する嵌合凹部１１４が設けられている。前記ペット用シーツは、ペットの尿や便を吸収し易く、ペットの居住性が良く、かつ、衛生的で、交換が容易な安価な部材であれば、特に、材質等を限定するものではない。
【００４７】
前記合成樹脂製の容器（カートリッジ）１１６は、薬剤を入れた後、上部を薄いフィルム、たとえば、ポリエチレンフィルムによってカバーし、使用時に剥がして使用する。なお、前記ペットトイレ１１は、凹部の内面に凸条部１３２を多数設けて置くことができる。前記凸条部１３２は、函体とペット用シーツとの間に空気層を設けることができ、衛生的なペットトイレとすることができる。
【００４８】
図３（イ）は第１実施例における十字状突起を内部に有するカートリッジの上面図および側面図を説明するための図で、（ロ）は十字状突起を有しないカートリッジを説明するための図である。図３（イ）において、前記カートリッジ１１６は、内壁１１９と折り返し部１１７によって、容器の周囲が二重になっている。また、前記カートリッジ１１６は、内部中央部の先端部に行くに従い長さが短く、厚さが薄く成形されている十字状突起１１８が設けられている。周囲が二重になっている前記容器１１６は、図１および図２に示す凸壁１１１の下部に嵌合する際に、バネ作用があり、ペットにより蹴飛ばされても外れることがない。図３（ロ）において、カートリッジ１１６′は、中央部に十字状突起１１８が設けられていない点で、図３（イ）と異なっている。  
【００４９】
図４（イ）は第１実施例における十字状突起を内部に有するカートリッジのゲル状薬剤の状態を説明するための上面図および側面図、（ロ）は十字状突起を有しないカートリッジの薬剤の状態を説明するための図である。図４（イ）において、容器（カートリッジ）１１６は、内部中央部において、先端部に行くに従いやや薄く、また、高さが低くなる、ほぼ十字状突起１１８が成形されている。前記十字状突起１１８は、たとえば、前記容器１１６の内部がほぼ４分割されている。前記容器１１６内部のゲル状薬剤２２は、量が減少すると、容器１１６の底部に残り、蒸発する。
【００５０】
前記ゲル状薬剤２２は、さらに、減少すると、十字状突起１１８およびそれぞれの１１９側壁に、表面張力によってへばり着く。前記のように、薬剤が少なくなった場合、前記側壁１１９および十字状突起１１８にヘバリ着いたゲル状薬剤は、前記十字状の突起が無い場合と比較して、表面積を大きくするため、効率良くほぼ均等に蒸発する。図４（ロ）における前記十字状突起がない容器１１６′は、中央部付近の薬剤が早く蒸発して無くなり、容器１１６′の周囲にある側壁１１９にのみ、多くの薬剤が付着し、蒸発の効率を悪くする。前記十字突起のない容器１１６′は、図４（イ）のものと比較すると、薬剤の蒸発効率が多少悪いが、使用上問題はない。
【００５１】
前記薬剤２２は、たとえば、消臭剤（合成および／または天然）、虫除け、芳香剤、香料、活性炭、除菌剤、緑茶乾留エキス、ショウガ乾留物、果実種子、果実抽出物、植物性抽出物、色素、ハープ剤の内の少なくとも一つであるが、予め単独または混合させておくことができる。前記薬剤２２は、ゲル状とすることで、ペットが前記ペットトイレを動かしても、前記容器１１６、１１６′からこぼれ難い。また、薬剤２２は、液体の場合と比較して、程よい速度で匂いを放出することができる。
【実施例２】
【００５２】
図５（イ）および（ロ）は本発明の第２実施例であり、ペットトイレの函体を説明するための図で、（イ）は斜視図、（ロ）は断面図である。図６（イ）および（ロ）は本発明の第２実施例における使用状態であり、ペットトイレを説明するための図で、（イ）は斜視図、（ロ）は断面図である。図５（イ）および（ロ）において、ペットトイレ１１は、ペット用シーツ２１（図６参照）を入れる周囲に設けられた凸壁１２（上部に突出して底板の周囲に設けられている壁）および底板１３となる底部１３１からなる函体から構成されている。
【００５３】
前記函体は、たとえば、ポリエチレン等の合成樹脂製のものを型材に入れて所望の形状に成形される。前記函体は、前記ポリエチレン以外の合成樹脂部材により作製することも可能であり、特に、材質に限定されない。また、前記底板１３は、前記凸壁１２の外部に突出したエッジ１３５を設けることができる。また、前記ペットトイレ１１は、前記凸壁１２に薬剤２２を入れる垂直の貫通孔からなる複数個の有底孔１２１を設けることができる。
【００５４】
前記有底孔１２１は、単に孔として、底部にフィルム１５を貼って、有底孔とした後、薬剤２２が入れられ、その後、上部をフィルム１４、たとえば、ポリエチレンフィルムによって密閉される。前記孔１２１は、同じ太さからなる垂直な孔の代わりに、たとえば、前記凸壁１２の内部で、広がり、互いに連結された孔として、薬剤を多く入れるようにすることもできる。前記ポリエチレンフィルムは、熱または接着剤によってシールできる材質のものであれば、特に、限定されない。
【００５５】
前記凸壁１２は、底部１３１の周囲を囲んでいるとともに、たとえば、貫通された垂直方向の孔１２１が複数個設けられている。前記孔１２１は、内部に薬剤２２が挿入されている。前記薬剤２２は、消臭剤、臭いおよび湿気を除去する活性炭、尿や便の腐敗あるいは菌の繁殖を防ぐ殺菌剤、緑茶乾留エキス、ショウガ乾留物、果実種子、果実抽出物、植物性抽出物、色素、ハープ剤等がある。また、前記薬剤２２は、合成物質の他に、天然の物質、あるいは複数種類を混合して、より効果を発揮することができる。また、前記薬剤２２は、孔１２１により、異なる種類のものを入れることもできる。また、前記薬剤２２は、必ずしもゲル状にする必要がないが、たとえば、スポンジ等に染み込ませておくと、ペットが引っ掛けても、撒き散らすことを予防できる。
【００５６】
図５（イ）および（ロ）において、ペットトイレ１１は、ペット用シーツ２１（図６参照）を入れる周囲に設けられた凸壁１２（上部に突出して底板の周囲に設けられている壁）および底板１３となる底部１３１からなる函体から構成されている。前記函体は、たとえば、ポリプロピレン等の合成樹脂製のものを型材に入れて所望の形状に成形される。前記函体は、前記ポリプロピレン以外の材料により作製することも可能であり、特に、材質に限定されない。また、前記底板１３は、前記凸壁１２の外部に突出したエッジ１３５を設けることができる。
【００５７】
前記ペットトイレ１１は、函体の上表面となる凹部に、縦型（縦方向）凸部１３２、横型（横方向）凸部１３３、複数個の方形突起１３４が多数設けられている。前記突起は、低い突起、低い凸部、山と谷等から構成されており、その方向は、整然と、あるいはランダムに設けられる。後述のペット用シーツ２１は、多数方向に向きを変えた突起によって、滑り止めとなるだけでなく、前記突起と底部との間に多少空間を持たせることができるため、取り外しが容易であり、衛生的に保つことができる。
【００５８】
図６（イ）および（ロ）は本発明の第２実施例における使用状態であり、ペットトイレを説明するための図で、（イ）は斜視図、（ロ）は（イ）ロ−ロ断面図である。図６（イ）および（ロ）において、ペットトイレ１１は、内部にペット用シーツ２１が敷かれている。前記ペット用シーツ２１は、ペットの尿や便を吸収し易く、ペットの居住性が良く、かつ、衛生的で、交換が容易な安価な部材であれば、特に、材質等を限定するものではない。たとえば、前記ペット用シーツ２１は、綿布、不織布、合成樹脂製品、綿状体のもの、ペットの尿や便が不所望にならないものであれば良い。
【実施例３】
【００５９】
図７（イ）および（ロ）は本発明の第３実施例であり、ペットトイレの函体を説明するための斜視図および断面図である。図８（イ）および（ロ）は本発明の第３実施例における使用状態であり、ペットトイレを説明するための図で、（イ）は斜視図、（ロ）は断面図である。図７および図８において、第２実施例と異なるところは、ペットトイレ１１′が凸壁１２によって囲まれた底部１３１にも前記凸壁１２と同様な複数の内部凸部３１が設けられている点である。
【００６０】
前記底部１３１に設けられた内部凸部３１は、複数個が整列（図示のごとく）またはランダム（図示されていない）に設けられている。前記内部凸部３１は、垂直または内部で広がる孔が設けられている。前記孔１２１′は、周囲に設けられている凸壁１２の孔１２１と同様に、薬剤２２が挿入される。第３実施例のペットトイレは、凸壁１２以外に、底部１３１にも、多数の薬剤挿入孔１２１′が設けられているため、前記薬剤の薬効を長く持続させることができる。
【００６１】
前記内部凸部３１は、高さを前記凸壁１２の高さより低くすることができる。前記内部凸部３１の高さは、内部に敷くペット用シーツ２１の厚さにもより、異なってくる。前記ペット用シーツ２１は、前記凸壁１２の内部に納まると同時に、前記内部凸部３１により、底部１３１との間に空間を設けることができ、衛生的にすることができる。
【００６２】
また、前記ペットトイレ１１′は、前記凸壁１２の薬剤以外に、前記突起部３１にも薬剤を入れることができるだけでなく、多くの異なる種類の薬剤を入れることにより、周囲を衛生的にし、臭い等に対する環境を向上させることができる。前記凸壁１２および内部凸部３１は、フィルム１４またはフィルム１４′によって別々に覆うことができる。特に、前記フィルム１４′をフィルム１４は、前記薬剤２２が液体に近い場合、別々にする必要がある。
【実施例４】
【００６３】
実施例４のペットトイレは、実施例２および実施例３に記載されたペットトイレを混合したものである。すなわち、底部に縦型凸部等を設けるとともに、内部に内部凸部を設けることができる。また、前記ペットトイレは、縦型凸部等を省略することも可能である。
【００６４】
以上、本発明の実施例を詳述したが、本発明は、前記実施例に限定されるものではない。そして、本発明は、持許請求の範囲に記載された事項を逸脱することがなければ、種々の設計変更を行うことが可能である。本発明のペットトイレは、大きさおよび形状、薬剤を入れる孔の大きさおよび形状を変形させること、あるいは、ペット用シーツ等の材質および厚さ等を任意に変えることができる。本発明は、ペットトイレとして説明したが、内部に敷くシーツの材質を変えることで、温感リビング、冷感リビングとして使用することもできる。
【符号の説明】
【００６５】
１１・・・ペットトイレ  
１１′・・・ペットトイレ  
１１１・・・凸壁
１１２・・・孔
１１４・・・凹部
１１５・・・シーツ止め部材
１１６・・・容器（カートリッジ）
１１７・・・折り返し部
１１８・・・十字状突起
１１９・・・内壁
１２・・・凸壁                
１２１・・・薬剤挿入孔
１３・・・底板
１３１・・・底部（開放凹部）
１３２・・・縦型凸部
１３３・・・横型凸部
１３４・・・方形突起
１３５・・・エッジ
１４・・・上部フィルム
１５・・・下部フィルム
１５１・・・エッジ
２１・・・ペット用シーツ
２２、２２′・・・薬剤
【図１】
2014014295.tif 000003
【図２】
2014014295.tif 000004
【図３】
2014014295.tif 000005
【図４】
2014014295.tif 000006
【図５】
2014014295.tif 000007
【図６】
2014014295.tif 000008
【図７】
2014014295.tif 000009
【図８】
2014014295.tif 000010